(57)【要約】  【課題】  ベアリングを安定して固定できるとともに、ベアリングの取り出しが容易なベアリングの固定構造を提供する。  【解決手段】  モーターの固定子セット上にスリーブを設け、ベアリングを該スリーブ内に設け、更に該スリーブの外周面にコイルを挿設するベアリングの固定構造において、該スリーブ内壁の上端縁部に近接した位置に当止部を形成し、且つ該スリーブの下端縁部は分割して壁面板を形成し、該壁面板の内壁下端縁部に係止部を形成し、該係止部側から該スリーブ内に挿入されるベアリングを該当止部と係止部の間において固定するように構成する。【選択図】図８
2005073355.tif 000002
【特許請求の範囲】
【請求項１】
モーターの固定子セット上にスリーブを設け、ベアリングを前記スリーブ内に設け、更に前記スリーブの外周面にコイルを挿設するベアリングの固定構造において、
前記スリーブ内壁の上端縁部に近接した位置に当止部を形成し、且つ前記スリーブの下端縁部は分割して壁面板を形成し、該壁面板の内壁下端縁部に係止部を形成し、該係止部側から前記スリーブ内に挿入されるベアリングを該当止部と係止部の間において固定するように構成することを特徴とする、ベアリングの固定構造。
【請求項２】
前記当止部と係止部との間の距離を、挿入するベアリングの高さに合わせて形成することを特徴とする、請求項１に記載のベアリングの固定構造。
【請求項３】
モーターの固定子セット上にスリーブを設け、ベアリングを該スリーブ内に設け、更に前記スリーブの外周面にコイルを挿設するベアリングの固定構造において、
前記スリーブ内壁の上端縁部に近接した位置に当止部を形成し、且つ前記スリーブの下端縁部は分割して壁面板を形成し、該壁面板の内壁下端縁部に係止部を形成し、該係止部側からベアリングセットを構成する複数のベアリングと、ベアリング間に介在する仕切り部材を順に前記スリーブ内に挿入し、前記当止部と係止部の間において固定するように構成することを特徴とする、ベアリングの固定構造。
【請求項４】
前記当止部と係止部との間の距離を、挿入する前記ベアリングセットの高さに合わせて形成することを特徴とする、請求項３に記載のベアリングの固定構造。
【発明の詳細な説明】
【技術分野】
【０００１】
この発明は、ベアリングの固定構造に関し、特にファンモーターなどにおけるベアリングの固定構造に関する。
【背景技術】
【０００２】
ファンモーターの構造は羽根車の回転子、ベアリングセット及びモーターの固定子セットとを具えてなる。該ベアリングセットは、モーターの固定子セットにおけるスリーブ内に設けられ、更に羽根車の回転子の軸を該スリーブに回動自在に設けて、羽根車の回転子が順調に回転するように構成する。
【０００３】
ファンを取り付ける過程においては、往々にして羽根車の回転子の軸がベアリングに安定して設けられているか否か、という点に注意が払われる。但し、ベアリングをモーターの固定子のスリーブに設ける場合、ベアリングが安定し、且つ緊密にスリーブに設けられているか否か、という点も羽根車の回転子の順調な回転に影響を与える要因となり、同時に騒音が発生する要因にもなり得る。
【０００４】
図１から４に従来のファンに羽根車を取り付ける場合の構造を開示する。図面によれば、ベアリング（１１）は、モーターの固定子セット（１２）におけるスリーブ（１２１）内に設ける。該スリーブ（１２１）は、内部底端縁部に当止部（１２１ａ）が形成され、スリーブ（１２１）は、固定リング（１５）と、当止部（１２１ａ）によってスリーブ（１２１）内に緊密に固定される。更に、コイル（１４）をスリーブ（１２１）の外周面に挿設する。
【０００５】
以上の構造によれば、ベアリング（１１）をスリーブ（１２１）に嵌挿する場合、軸方向の位置決めが難しく、このため羽根車の回転子（１３）の軸（１３１）をベアリング（１１）に安定して設けることが難しくなる。しかも、ベアリング（１１）は、別途固定リング（１５）などのその他部材を設けることによって、初めてスリーブ（１２１）に緊密に固定することができる。このため、製造工程の増加と、製造コストの上昇に繋がる。
【０００６】
図５から図７に開示する技術は、台湾特許公告第３１０７８２号に開示される技術である。該特許は、冷却ファンの軸受のスリーブ構造に関するものであり、モーターの固定子セット（４１）における円形のスリーブ（４１１）に改良が加えられている。すなわち、スリーブ（４１１）は、従来のスリーブを形成する円筒を分割し、複数の壁面板（４１２）を形成するとともに、それぞれの壁面板（４１２）の上端縁部には内壁が傾斜して係止部（４１２ａ）を形成する。また、それぞれの壁面板（４１２）の間には、スリーブ（４１１）の内側面に向かって延伸する当止部（４１３）が形成される。
【０００７】
上述の構造において、複数の壁面板（４１２）によって囲まれる領域にベアリング（４２）を嵌挿する。この場合、嵌挿されたベアリング（４２）は壁面板（４１２）の係止部（４１２ａ）に係止して、係止部（４１２ａ）と当止部（４１３）との間に固定され、脱落しないようになる。但し、壁面板（４１２）を形成する構造は、複数の壁面板（４１２）の外周面にコイル（４３）を挿設して、初めてベアリング（４２）を安定して固定する目的が達成できる。よって、ベアリング（４２）が破損した場合、ベアリング（４２）を取り出すためには、コイル（４３）を取り外さなければならない。従って、修理の過程において、手間と時間がかかる。しかも、スリーブ（４１１）を破損することなくベアリング（４２）を交換するためには、熟練した技術者が行わなければならず、一般のユーザーが容易に交換できるものではない。
【０００８】
よって、如何にしてベアリングを安定して固定するとともに、ベアリングの交換が容易なベアリングの固定構造を開発するかが業界の急務となっている。
【発明の開示】
【発明が解決しようとする課題】
【０００９】
この発明は、モーターの固定子セットにおけるスリーブにベアリングを安定して固定できるベアリングの固定構造を提供することを課題とする。
【００１０】
また、この発明は、簡易な操作でベアリングを取り外すことのできるベアリングの固定構造を提供することを課題とする。
【課題を解決するための手段】
【００１１】
そこで本発明者は、従来の技術に鑑み鋭意研究を重ねた結果、モーターの固定子セット上にスリーブを設け、ベアリングを該スリーブ内に設け、更に該スリーブの外周面にコイルを挿設するベアリングの固定構造において、
該スリーブ内壁の上端縁部に近接した位置に当止部を形成し、且つ該スリーブの下端縁部は分割して壁面板を形成し、該壁面板の内壁下端縁部に係止部を形成し、該係止部側から該スリーブ内に挿入されるベアリングを該当止部と係止部の間において固定するように構成してなるベアリングの固定構造によって課題を解決できる点に着眼し、係る知見に基づき本発明を完成させた。
以下、この発明について具体的に説明する。
【００１２】
請求項１に記載するベアリングの固定構造は、モーターの固定子セット上にスリーブを設け、ベアリングを前記スリーブ内に設け、更に前記スリーブの外周面にコイルを挿設するベアリングの固定構造において、
前記スリーブ内壁の上端縁部に近接した位置に当止部を形成し、且つ前記スリーブの下端縁部は分割して壁面板を形成し、該壁面板の内壁下端縁部に係止部を形成し、該係止部側から前記スリーブ内に挿入されるベアリングを該当止部と係止部の間において固定するように構成する。
【００１３】
請求項２に記載するベアリングの固定構造は、請求項１における当止部と係止部との間の距離を、挿入するベアリングの高さに合わせて形成する。
【００１４】
請求項３に記載するベアリングの固定構造は、モーターの固定子セット上にスリーブを設け、ベアリングを該スリーブ内に設け、更に前記スリーブの外周面にコイルを挿設するベアリングの固定構造において、
前記スリーブ内壁の上端縁部に近接した位置に当止部を形成し、且つ前記スリーブの下端縁部は分割して壁面板を形成し、該壁面板の内壁下端縁部に係止部を形成し、該係止部側からベアリングセットを構成する複数のベアリングと、ベアリング間に介在する仕切り部材を順に前記スリーブ内に挿入し、前記当止部と係止部の間において固定するように構成する。
【００１５】
請求項４に記載するベアリングの固定構造は、請求項３における当止部と係止部との間の距離を、挿入する前記ベアリングセットの高さに合わせて形成する。
【発明の効果】
【００１６】
本発明のベアリングの固定構造は、ベアリングをスリーブ内に安定して設けられるとともに、簡易な操作でベアリングを交換できるという利点がある。
【発明を実施するための最良の形態】
【００１７】
本発明は、ファンモーターなどにおけるベアリングの固定構造を提供するものであって、モーターの固定子セット上にスリーブを設け、ベアリングを該スリーブ内に設け、更に該スリーブの外周面にコイルを挿設するベアリングの固定構造において、該スリーブ内壁の上端縁部に近接した位置に当止部を形成し、且つ該スリーブの下端縁部は分割して壁面板を形成し、該壁面板の内壁下端縁部に係止部を形成し、該係止部側から該スリーブ内に挿入されるベアリングを該当止部と係止部の間において固定するように構成する。
係るベアリングの固定構造について、その特徴を詳述するために具体的な実施例を挙げ、以下に説明する。
【実施例１】
【００１８】
図８、９に、この発明によるベアリングの固定構造の第１の実施例を開示する。図面によれば、モーターの固定子セット（２１）上にスリーブ（２２）を設け、ベアリング（２３）を該スリーブ（２２）内に設ける。スリーブ（２２）は、内壁の上端縁部に近接した位置に、スリーブ（２２）の中心に向かって迫り出したフランジ状の当止部（２２１）を形成する。スリーブ（２２）の下端縁部は分割して壁面板（２２２）を形成する。該壁面板（２２２）の内壁下端縁部には、スリーブ（２２）の中心に向かって迫り出したフランジ状の係止部（２２２ａ）を形成する。該係止部（２２２ａ）の側面は、勾配を形成して傾斜面（２２２ｂ）とする。ベアリング（２３）をスリーブ（２２）内に挿入する場合、該傾斜面（２２２ｂ）の作用によって容易に挿入される。当止部（２２１）と係止部（２２２ａ）との間の距離は、ベアリング（２３）の高さに合わせる。また、スリーブ（２２）の外周面には、圧接壁（２２３）を形成する。この場合、壁面板（２２２）と圧接壁（２２３）との間に弾性空間（２２４）が形成される。よって、コイル（２４）をスリーブ（２２）の外周面に挿設する場合、圧接壁（２２３）がコイル（２４）の内壁に圧接する。
【００１９】
図１０、１１、１２、１３に開示するように、ベアリング（２３）は、係止部（２２２ａ）の傾斜面（２２２ｂ）に沿ってスリーブ（２２）内に挿入される。この場合、壁面板（２２２）は弾性を有するため、ベアリング（２３）は係止部（２２２ａ）の傾斜面（２２２ｂ）を押し圧してスリーブ（２２）内に挿入される。また、当止部（２２１）と係止部（２２２ａ）との間の距離は、ベアリング（２３）の高さに合わせて形成されるため、ベアリング（２３）は当止部（２２１）と係止部（２２２ａ）との間において安定して設けられる。すなわち、係止部（２２２ａ）の側面に傾斜面（２２２ｂ）を形成することは、ベアリング（２３）をスリーブ（２２）内に挿設する場合、挿設の動作が容易で、且つ迅速に行うことができ、ベアリング（２３）がスリーブ（２２）内に緊密、且つ安定して設けられる。また、ベアリング（２３）をスリーブ（２２）内に挿設した後、コイル（２４）をスリーブ（２２）の外周面に形成した圧接壁（２２３）上に挿設する。
【００２０】
図１０に開示するように、壁面板（２２２）と圧接壁（２２３）との間には、弾性空間（２２４）が形成される。このため、壁面板（２２２）は、該弾性空間（２２４）を利用して外方向に押し広げることができる。よって、嵌挿したベアリング（２３）が故障し、交換しようとする場合、壁面板（２２２）は弾性を具えているため、弾性空間（２２４）を利用して容易に外方向に押し広げることができ、ベアリング（２３）を取り出し、交換することができる。即ち、コイル（２４）を動かすことなく、また特殊な工具を必要とせず、一般のユーザーであっても容易に、且つ迅速にベアリング（２３）を交換することができる。
【実施例２】
【００２１】
図１４、１５、１６に、この発明の第２の実施例を開示する。第２の実施例は、全体的な構造と効果は第１の実施例と略同様であるため、ここでは詳述しない。但し、図面に開示するように、ベアリングセット（３３）をスリーブ（２２）内に嵌挿する場合、予め第１ベアリング（３３１）をスリーブ（２２）内に嵌挿し、更に仕切り部材（３３２）と第２ベアリング（３３３）を順に嵌挿する点において、第１の実施例と異なる。
【００２２】
当止部（２２１）と、係止部（２２２ａ）との間の距離は、第１ベアリング（３３１）と仕切り部材（３３２）と第２ベアリング（３３３）とによってなるベアリングセット（３３）の高さに合わせて形成し、当止部（２２１）と係止部（２２２ａ）との間にベアリングセット（３３）を安定して固定することができる。
【００２３】
第２の実施例におけるベアリングセット（３３）は、実際の需要に合わせ、異なるベアリングの数を組み合わせ、ベアリングとベアリングとの間に仕切り部材（３３２）を介在させて順にスリーブ（２２）内に嵌挿する。当止部（２２１）と係止部（２２２ａ）との距離は、ベアリングセット（３３）の高さに合わせて形成し、スリーブ（２２）内に安定して固定させる。
【００２４】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００２５】
【図１】従来のファンモーターにおけるベアリングの固定構造を表わす分解図である。
【図２】図１に開示するベアリングの固定構造であって、他の角度から見た分解図である。
【図３】図１に開示するベアリングの固定構造の斜視図である。
【図４】図３におけるＡ―Ａ線に沿った部分的断面図である。
【図５】従来のファンモーターにおける他のベアリングの固定構造を表わす分解図である。
【図６】図５に開示するベアリングの固定構造の斜視図である。
【図７】図６におけるＤ―Ｄ線に沿った断面図である。
【図８】この発明の第１の実施例によるファンモーターにおけるベアリングの固定構造を表わす分解図である。
【図９】図８に開示するベアリングの固定構造であって、他の角度から見た分解図である。
【図１０】第１の実施例における壁面板の動作を示した説明図である。
【図１１】図８に開示するベアリングの固定構造の斜視図である。
【図１２】図８に開示するベアリングの固定構造の他の角度から見た斜視図である。
【図１３】図１１におけるＢ―Ｂ線に沿った部分的断面図である。
【図１４】この発明の第２の実施例によるファンモーターにおける他のベアリングの固定構造を表わす分解図である。
【図１５】図１４に開示するベアリングの固定構造の斜視図である。
【図１６】図１５におけるＣ―Ｃ線に沿った断面図である。
【符号の説明】
【００２６】
１１      ベアリング
１２      固定子セット
１２１    スリーブ
１２１ａ  当止部
１３      回転子
１３１    軸
１４      コイル
１５      固定リング
２１      固定子セット
２２      スリーブ
２２１    当止部
２２２    壁面板
２２２ａ  係止部
２２２ｂ  傾斜面
２２３    圧接壁
２２４    弾性空間
２３      ベアリング
２４      コイル
３３      ベアリングセット
３３１    第１ベアリング
３３２    仕切り部材
３３３    第２ベアリング
４１      固定子セット
４１１    スリーブ
４１２    壁面板
４１２ａ  係止部
４１３    当止部
４２      ベアリング
４３      コイル
【図１】
2005073355.tif 000003
【図２】
2005073355.tif 000004
【図３】
2005073355.tif 000005
【図４】
2005073355.tif 000006
【図５】
2005073355.tif 000007
【図６】
2005073355.tif 000008
【図７】
2005073355.tif 000009
【図８】
2005073355.tif 000010
【図９】
2005073355.tif 000011
【図１０】
2005073355.tif 000012
【図１１】
2005073355.tif 000013
【図１２】
2005073355.tif 000014
【図１３】
2005073355.tif 000015
【図１４】
2005073355.tif 000016
【図１５】
2005073355.tif 000017
【図１６】
2005073355.tif 000018